【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
電気コンタクトであって、
電気コンタクトの長さの一部分に沿って電気コンタクトの内側表面内に画定された刻みパターンを備え、前記長さは長手方向軸に沿って配置され、前記一部分が、ワイヤケーブルのリードを、取り付けるために軸方向で受け取るように構成されており、それにより、前記リードが前記刻みパターンに係合可能に接触することを可能にし、前記刻みパターンは複数の要素を含み、前記複数の要素内の各要素が、複数の内角と、間に短い方の軸および短い方の距離を規定する、対向する第１の一対の内角と、間に長い方の軸および長い方の距離を規定する、対向する前記第１の一対の内角とは異なる、対向する第２の一対の内角とを含む形状を有し、前記短い方の軸が、前記長手方向軸と共に軸方向であり、前記長い方の軸が、前記長手方向軸に垂直であり、前記短い方の距離が、前記長い方の距離より短く、前記複数の要素内の各要素が、前記内側表面に対して離隔された、陥凹した関係を有する表面を含む、電気コンタクト。
【請求項２】
請求項１に記載の電気コンタクトにおいて、
前記複数の要素内の各要素の前記表面が、前記部分のフロアに隣接して配置され、前記フロアは、前記内側表面と平行な、隔離された関係を有することを特徴とする電気コンタクト。
【請求項３】
請求項１に記載の電気コンタクトにおいて、
前記長い方の軸が前記短い方の軸に垂直であることを特徴とする電気コンタクト。
【請求項４】
請求項１に記載の電気コンタクトにおいて、
対向する前記第１の一対の内角が、鈍角の角度値をそれぞれ有し、対向する前記第２の一対の内角が、鋭角の角度値をそれぞれ有することを特徴とする電気コンタクト。
【請求項５】
請求項１に記載の電気コンタクトにおいて、
前記複数の要素が側壁を備え、前記側壁が、傾斜したランプを含むことを特徴とする電気コンタクト。
【請求項６】
請求項１に記載の電気コンタクトにおいて、
前記複数の要素内の各要素が、斜方形状を形成する領域を有する表面を含むことを特徴とする電気コンタクト。
【請求項７】
請求項６に記載の電気コンタクトにおいて、
前記複数の要素内の各要素の斜方形状の表面が、前記内側表面に対して離隔された、陥凹した関係を有することを特徴とする電気コンタクト。
【請求項８】
請求項７に記載の電気コンタクトにおいて、
前記リードの少なくとも外面が、前記複数の要素の各要素内の前記斜方形状の表面の実質的な部分に接して係合されることを特徴とする電気コンタクト。
【請求項９】
請求項１に記載の電気コンタクトにおいて、
前記電気コンタクトは、前記ワイヤケーブルの前記リードを受け取るように構成されたベースを備え、前記ベースが弓形の形状を有し、前記刻みパターンが、前記ベースの少なくとも一部分に沿って配置されることを特徴とする電気コンタクト。
【請求項１０】
請求項９に記載の電気コンタクトにおいて、
前記リードが電気コンタクトの前記一部分に取り付けられたとき、圧着接続部が、前記リードと前記ワイヤケーブルの間に形成されることを特徴とする電気コンタクト。
【請求項１１】
請求項１０に記載の電気コンタクトにおいて、
前記ワイヤケーブルの内側コアが前記リードを含み、前記内側コアが、アルミニウムをベースとし、前記複数の要素が、前記内側表面に対して陥凹した外部表面を含み、前記圧着接続部が形成されたとき、前記リードが、前記複数の要素に関連付けられた前記陥凹した外部表面の実質的な部分に押し付けられることを特徴とする電気コンタクト。
【請求項１２】
請求項１０に記載の電気コンタクトにおいて、
前記圧着接続部が、動力付き車両内に配置されたケーブルハーネスに関連付けられることを特徴とする電気コンタクト。
【請求項１３】
電気接続システムであって、
１つまたは複数の電気コンタクトを含む少なくとも１つのコネクタを備え、前記１つまたは複数の電気コンタクトが、１つまたは複数のワイヤケーブルと電気的に接続しており、前記１つまたは複数の電気コンタクトの少なくとも１つが、
前記電気コンタクトの長さの一部分に沿って電気コンタクトの内側表面内に画定された刻みパターンを含み、前記長さが長手方向軸に沿って配置され、前記一部分が、ワイヤケーブルのリードを、取り付けるために軸方向で受け取るように構成されており、それにより、前記リードが、前記刻みパターンに係合可能に接触することを可能にし、前記刻みパターンが複数の要素を含み、前記複数の要素内の各要素が、複数の内角と、間に短い方の軸および短い方の距離を規定する、対向する第１の一対の内角と、間に長い方の軸および長い方の距離を規定する、対向する前記第１の一対の内角とは異なる、対向する第２の一対の内角とを含む形状を有し、
前記短い方の軸が、前記長手方向軸と共に軸方向であり、前記長い方の軸が、前記長手方向軸に垂直であり、前記短い方の距離が、前記長い方の距離より短く、前記複数の要素内の各要素が、前記内側表面に対して離隔された、陥凹した関係を有する表面を含む、電気接続システム。
【請求項１４】
請求項１３に記載の電気接続システムにおいて、
前記１つまたは複数のワイヤケーブルが、アルミニウムで形成されることを特徴とする電気接続システム。
【請求項１５】
請求項１３に記載の電気接続システムにおいて、
前記１つまたは複数の配線ケーブルと電気的に接続する前記１つまたは複数の電気コンタクトが、動力付き車両内に配置されたワイヤリングハーネスに関連付けられることを特徴とする電気接続システム。
【請求項１６】
請求項１３に記載の電気接続システムにおいて、
前記複数の要素内の各要素が、斜方形状を備えた表面を含むことを特徴とする電気接続システム。
【請求項１７】
請求項１６に記載の電気接続システムにおいて、
前記複数の要素内の各要素の斜方形状の表面が、前記内側表面に対して離隔された、陥凹した関係を有することを特徴とする電気接続システム。
【手続補正２】
【補正対象書類名】明細書
【補正対象項目名】００３１
【補正方法】変更
【補正の内容】
【００３１】
本実施形態は下記のように構成してもよい。
［態様１］
電気コンタクト（２２）であって、
電気コンタクト（２２）の長さの一部分に沿って電気コンタクト（２２）の内側表面（
３６）内に画定された刻みパターン（４４）を備え、前記長さは長手方向軸に沿って配置
され、前記一部分が、ワイヤケーブル（１０）のリード（１８）を、取り付けるために軸
方向で受け取るように構成されており、それにより、前記リード（１８）が、前記刻みパ
ターン（４４）に係合可能に接触することを可能にし、前記刻みパターン（４４）は複数
の要素（５４）を含み、前記複数の要素（５４）内の各要素（５４）が、複数の内角と、
間に概して軸方向の短い方の距離を規定する、対向する概して軸方向の第１の一対の内角
（５６）と、間に長い方の距離を規定する、対向する前記第１の一対の内角（５６）とは
異なる、対向する第２の一対の内角（５８）とを含む形状を有し、前記概して軸方向の短
い方の距離が、前記長い方の距離より短い、電気コンタクト（２２）。
［態様２］
態様１に記載の電気コンタクト（２２）において、
前記複数の要素（５４）内の各要素（５４）が、前記内側表面（３６）に対して離隔さ
れた、陥凹した関係を有する表面を含むことを特徴とする電気コンタクト（２２）。
［態様３］
態様１に記載の電気コンタクト（２２）において、
前記複数の要素（５４）内の各要素（５４）が、斜方形状を形成する領域を有する表面
を含むことを特徴とする電気コンタクト（２２）。
［態様４］
態様３に記載の電気コンタクト（２２）において、
前記複数の要素（５４）内の各要素（５４）の前記斜方形状の表面が、前記内側表面（
３６）に対して離隔された、陥凹した関係を有することを特徴とする電気コンタクト（２
２）。
［態様５］
態様４に記載の電気コンタクト（２２）において、
前記リード（１８）の少なくとも外面が、前記複数の要素（５４）内の各要素（５４）
内の前記斜方形状の表面（６０）の実質的な部分に接して係合されることを特徴とする電
気コンタクト（２２）。
［態様６］
態様２に記載の電気コンタクト（２２）において、
前記複数の要素（５４）内の各要素（５４）の前記表面が、前記部分のフロア（５５）
に隣接して配置され、前記フロア（５５）は、前記内側表面（３６）と平行な、隔離され
た関係を有することを特徴とする電気コンタクト（２２）。
［態様７］
態様１に記載の電気コンタクト（２２）において、
前記長い方の距離が前記軸方向の短い方の距離に垂直であることを特徴とする電気コン
タクト（２２）。
［態様８］
態様１に記載の電気コンタクト（２２）において、
前記軸方向の短い方の距離が実質的に軸方向であり、前記長い方の距離が、前記実質的
に軸方向の短い方の距離に垂直であることを特徴とする電気コンタクト（２２）。
［態様９］
態様１に記載の電気コンタクト（２２）において、
対向する前記第１の一対の内角（５６）が、鈍角の角度値をそれぞれ有し、対向する前
記第２の一対の内角（５８）が、鋭角の角度値をそれぞれ有することを特徴とする電気コ
ンタクト（２２）。
［態様１０］
態様１に記載の電気コンタクト（２２）において、
前記複数の要素（５４）が側壁（６１）を備え、前記側壁（６１）が、傾斜したランプ
を含むことを特徴とする電気コンタクト（２２）。
［態様１１］
態様１に記載の電気コンタクト（２２）において、
前記電気コンタクト（２２）は、前記ワイヤケーブル（１０）の前記リード（１８）を
受け取るように構成されたベース（２１）を備え、前記ベース（２１）が弓形の形状を有
し、前記刻みパターン（４４）が、前記弓形の形状のベース（２１）の少なくとも一部分
に沿って配置されることを特徴とする電気コンタクト（２２）。
［態様１２］
態様１１に記載の電気コンタクト（２２）において、
前記リード（１８）が電気コンタクト（２２）の前記一部分に取り付けられたとき、圧
着接続部（４６）が、前記リード（１８）と前記ワイヤケーブル（１０）の間に形成され
ることを特徴とする電気コンタクト（２２）。
［態様１３］
態様１２に記載の電気コンタクト（２２）において、
前記ワイヤケーブル（１０）の内側コア（１４）が前記リード（１８）を含み、前記内
側コア（１４）が、アルミニウムまたはアルミニウム合金を含み、前記複数の要素（５４
）が、前記内側表面（３６）に対して陥凹した外部表面（６０）を含み、前記圧着接続部
（４６）が形成されたとき、前記アルミニウムリード（１８）が、前記複数の要素（５４
）に関連付けられた前記陥凹した外部表面（６０）の実質的な部分に押し付けられること
を特徴とする電気コンタクト（２２）。
［態様１４］
態様１２に記載の電気コンタクト（２２）において、
前記圧着接続部（４６）が、動力付き車両内に配置されたケーブルハーネスに関連付け
られることを特徴とする電気コンタクト（２２）。
［態様１５］
電気接続システムであって、
１つまたは複数の電気コンタクトを含む少なくとも１つのコネクタを備え、前記１つま
たは複数の電気コンタクトが、１つまたは複数のワイヤケーブル（１０）と電気的に接続
しており、前記電気コンタクトの少なくとも１つが、
前記電気コンタクト（２２）の長さの一部分に沿って前記電気コンタクト（２２）の内
側表面（３６）内に画定された刻みパターン（４４）を含み、前記長さが長手方向軸に沿
って配置され、前記一部分が、ワイヤケーブル（１０）のリード（１８）を、取り付ける
ために軸方向で受け取るように構成されており、それにより、前記リード（１８）が、前
記刻みパターン（４４）に係合可能に接触することを可能にし、前記刻みパターン（４４
）が複数の要素（５４）を含み、前記複数の要素（５４）内の各要素（５４）が、複数の
内角と、間に概して軸方向の短い方の距離を規定する、対向する概して軸方向の第１の一
対の内角（５６）と、間に長い方の距離を規定する、対向する前記第１の一対の内角（５
６）とは異なる、対向する第２の一対の内角（５８）とを含む形状を有し、前記概して軸
方向の短い方の距離が、前記長い方の距離より短い、電気接続システム。
［態様１６］
態様１５に記載の電気接続システムにおいて、
前記複数の要素（５４）内の各要素（５４）が、前記内側表面（３６）に対して離隔さ
れた、陥凹した関係を有する表面を含むことを特徴とする電気接続システム。
［態様１７］
態様１５に記載の電気接続システムにおいて、
前記複数の要素（５４）内の各要素（５４）が、斜方形状を備えた表面を含むことを特
徴とする電気接続システム。
［態様１８］
態様１７に記載の電気接続システムにおいて、
前記複数の要素（５４）内の各要素（５４）の斜方形状の表面が、前記内側表面（３６
）に対して離隔された、陥凹した関係を有することを特徴とする電気接続システム。
［態様１９］
態様１５に記載の電気接続システムにおいて、
前記１つまたは複数のワイヤケーブル（１０）が、アルミニウムで形成されることを特
徴とする電気接続システム。
［態様２０］
態様１５に記載の電気接続システムにおいて、
前記１つまたは複数の配線ケーブルと電気的に接続する前記１つまたは複数の電気コン
タクトが、動力付き車両内に配置されたワイヤリングハーネスに関連付けられることを特
徴とする電気接続システム。
本発明について、その好ましい実施形態の点で述べたが、そのように限定されることは
意図されておらず、むしろ以下の特許請求の範囲に記載の範囲に限る。